(57)【特許請求の範囲】
【請求項１】
通信の方法であって、
無線装置において、広域無線データネットワークの基地局（ＢＳ）と第１の接続を確立し、そして無線ＬＡＮ（ＷＬＡＮ）上で第２の接続を確立するステップと、
前記無線装置において、前記第２の接続上で通信するための時間インターバルを選択するステップと、
前記選択された時間インターバルの準備において、前記時間インターバルに先だって、前記基地局（ＢＳ）に対し前記無線装置からの送信待ちのデータがないと報告することにより、前記基地局（ＢＳ）に対し、前記時間インターバル中の前記第１の接続上での前記無線装置から前記基地局（ＢＳ）へのデータ送信をスケジューリングすることを控えさせるステップと、そして、
前記時間インターバル中に、前記無線装置を使用して前記無線ＬＡＮ（ＷＬＡＮ）の前記第２の接続上で通信するステップと、
を有し、
前記送信待ちのデータがないと報告するステップは、前記基地局（ＢＳ）に対し前記送信待ちデータの送信を前記時間インターバルの外側にスケジューリングさせるため、幾つかのデータが前記基地局（ＢＳ）への送信待ちである場合でも実行される、ことを特徴とする方法。
【請求項２】
前記時間インターバルの終わりに対する準備において、前記基地局（ＢＳ）に対し前記無線装置からの送信待ちのデータがあると報告するステップを有する、ことを特徴とする請求項１に記載の方法。
【請求項３】
前記送信待ちのデータがあると報告するステップは、スケジューリングされる送信のサイズを制御するため、前記送信待ちのデータの実際のサイズと異なるデータ量を報告するステップを有する、ことを特徴とする請求項２に記載の方法。
【請求項４】
前記広域無線データネットワークはロングタームエボリューション（ＬＴＥ）規格に従って動作し、前記送信待ちのデータがないと報告するステップは、バッファ状況報告（ＢＳＲ）メッセージを送信するステップを有する、ことを特徴とする請求項１−３のいずれかに記載の方法。
【請求項５】
前記基地局（ＢＳ）に対し、送信待ちのデータがあると報告するステップと送信待ちのデータがないと報告するステップを交互に行うことにより、前記第１の接続と前記第２の接続を交互に使用する通信パターンを適用するステップを有する、ことを特徴とする請求項１−３のいずれかに記載の方法。
【請求項６】
前記選択された時間インターバルの前及び後において、前記第２の接続上での通信を禁止するステップを有する、ことを特徴とする請求項１−３のいずれかに記載の方法。
【請求項７】
前記基地局（ＢＳ）に報告するステップは、前記第１の接続のスケジューリング遅れ時間（レイテンシ）を考慮したある時点において、前記基地局（ＢＳ）に報告メッセージを送るステップを有する、ことを特徴とする請求項１−３のいずれかに記載の方法。
【請求項８】
無線装置であって、
広域無線データネットワーク上及び無線ＬＡＮ（ＷＬＡＮ）上で通信するため、無線周波数（ＲＦ）信号を交換するように設定される前記無線周波数（ＲＦ）フロントエンドと、
基底帯域回路と、を有し、
前記基底帯域回路は、
前記無線周波数（ＲＦ）フロントエンドを介して、前記広域無線データネットワーク上の前記基地局（ＢＳ）と第１の接続を、そして前記無線ＬＡＮ（ＷＬＡＮ）上に第２の接続を確立し、
前記第２の接続上で通信するための時間インターバルを選択し、
前記選択された時間インターバルの準備において、前記時間インターバルの前に、前記基地局（ＢＳ）に対し前記無線装置からの送信待ちデータがないと報告することにより、前記基地局（ＢＳ）に対し、前記第１の接続上での前記無線装置から前記基地局（ＢＳ）へのデータ送信を前記時間インターバル中にスケジューリングすることを控えるようにさせ、
前記時間インターバル中に、前記無線ＬＡＮ（ＷＬＡＮ）上の前記第２の接続上で前記無線装置を使用して通信し、そして、
前記基地局（ＢＳ）に対し前記送信待ちデータの送信を前記時間インターバルの外側にスケジューリングするようにさせるため、幾つかのデータが前記基地局（ＢＳ）への送信待ちである場合でも送信待ちデータがないと報告する、
ように設定される、ことを特徴とする無線装置。
【請求項９】
前記基底帯域回路は、前記時間インターバルの終わりに対する準備において、前記基地局（ＢＳ）に対し前記無線装置からの送信待ちデータがあると報告するように設定される、ことを特徴とする請求項８に記載の無線装置。
【請求項１０】
前記基底帯域回路は、スケジューリングされる送信のサイズを制御するため、前記送信待ちデータの実際のサイズと異なるデータ量を報告するように設定される、ことを特徴とする請求項９に記載の無線装置。
【請求項１１】
前記広域無線データネットワークはロングタームエボリューション（ＬＴＥ）規格に従って動作し、前記基底帯域回路は、バッファ状況報告（ＢＳＲ）メッセージを送信することにより前記送信待ちのデータがないと報告するように設定される、ことを特徴とする請求項８−１０のいずれかに記載の無線装置。
【請求項１２】
前記基底帯域回路は、前記基地局（ＢＳ）に対し送信待ちのデータがあると報告するステップと送信待ちのデータがないと報告するステップを交互に行うことにより、前記第１の接続と前記第２の接続を交互に使用する通信パターンを適用するように設定される、ことを特徴とする請求項８−１０のいずれかに記載の無線装置。
【請求項１３】
前記基底帯域回路は、前記選択された時間インターバルの前及び後において、前記第２の接続上での通信を禁止するように設定される、ことを特徴とする請求項８−１０のいずれかに記載の無線装置。
【請求項１４】
前記基底帯域回路は、前記第１の接続のスケジューリング遅れ時間（レイテンシ）を考慮したある時点において、前記基地局（ＢＳ）に送信待ちデータがないと報告する報告メッセージを送るように設定される、ことを特徴とする請求項８−１０のいずれかに記載の無線装置。
【発明の詳細な説明】
【技術分野】
【０００１】
本発明は、一般的に無線通信に関し、特に通信装置間の共存に関するものである。
【背景技術】
【０００２】
（関連出願の参照）
本出願は２００６年１２月２７日出願の米国特許出願１１／６４７，１２２（特許文献１）及び２００９年４月１９日出願の米国特許出願１２／４２６，２５１（特許文献２）の一部継続出願であり、それらはここに参照され採り入れられる。本出願は２０１１年１月６日出願の米国暫定出願６１／４３０，１９３（特許文献３）の恩恵を主張し、それはここに参照され採り入れられる。
【０００３】
通信システムでは異なる通信プロトコルの通信装置が互いに近接して動作し、そして隣接する又は重複する周波数帯域で動作する。位置と周波数の近さのため、これらシステムは干渉を受けやすい。
【０００４】
異なる通信プロトコル間の共存のため、種々の技術が従来技術で公知である。例えば、特許文献４、それはここに参照され採り入れられるが、は無線端末と広域無線データネットワークの基地局（ＢＳ）との間の第１の接続上で第１の通信セッションを確立し、そのセッションは時間フレームのシークエンスを定義する第１のプロトコルに従って動作する、通信方法を開示している。基地局（ＢＳ）により定義された時間フレームに基づいて、その無線端末と周辺無線装置との間の第２の接続上で第２の通信セッションを確立するために時間スロットが割り当てられ、その第２のセッションは、第１のプロトコルとは異なる、第２の狭域時間スロット通信プロトコルに従って動作する。基地局（ＢＳ）と無線端末との間の第１の接続上での通信用の時間フレームの中に、時間インターバルが割り当てられ、割り当てられた時間インターバルは割り当てられた時間スロットと交互になり、かつ重複しない。第１と第２の通信セッションはそれぞれ割り当てられた時間インターバルと指定された時間スロットにおいて同時に処理される。
【０００５】
特許文献５、それはここに参照され採り入れられるが、は無線端末と広域無線データネットワークの基地局との間の第１の接続上での第１の通信セッションに対し時間インターバルを割り当てるステップを含み、第１の通信セッションは時間フレームを定義する第１のプロトコルに従って動作し、その時間フレームは下方リンクサブフレームと上方リンクサブフレームを有する、通信方法を記載している。時間スロットが無線端末と周辺無線装置との間の第２の接続上の第２の通信セッションに割り当てられ、第２の通信セッションは第２の狭域時間スロットプロトコルに従って動作し、第２のプロトコルは第１のプロトコルと異なり、かつ再送信メカニズムを有する。時間スロットは基地局（ＢＳ）により定義された下方リンクサブフレームと上方リンクサブフレームと同期する。第２の接続の動作は、再送信メカニズムを呼び出し、そして無線端末に対し下方リンクサブフレームと重複しない時間スロットの間だけ送信するようにさせるため、下方リンクサブフレームと重複する幾つかの時間スロットでは禁止される。
【０００６】
特許文献６，それはここに参照され採り入れられるが、は少なくとも１つの無線受信回路を含む通信装置を記載している。その回路は、第１及び第２の無線信号を受信しそして下方変換し、その無線信号はそれぞれ異なる第１及び第２の無線ネットワーク上でそれぞれ異なる第１及び第２のネットワークプロトコルに従って送信され、それにより第１及び第２の下方変換された信号を出力するように接続されている。基底帯域処理回路は、第１及び第２の下方変換された信号を受信し、そして信号から第１と第２のデータを抽出するように接続される処理要素を含む。処理要素は、第１の下方変換された信号を第１のネットワークプロトコルに従って元に戻す第１の構成と、第２の下方変換された信号を第２のネットワークプロトコルに従って元に戻す第２の構成とを有する。
【０００７】
特許文献７、及び８、それはここに参照され採り入れられるが、は無線端末と広域無線データネットワークの基地局との間の第１の接続を確立するステップを有し、第１の接続は、無線端末と基地局との間のデータ転送のための時間フレームのシークエンスを定義する第１のプロトコルに従って動作する、通信方法を記載している。無線端末が基地局からデータを受信しない１つ以上の時間フレームを含むインターバルを識別する、信号が無線端末から基地局に送られる。インターバルの間に、第２の接続が、無線端末と無線ＬＡＮ（ＷＬＡＮ）の１つのアクセスポイントの間で第１のプロトコルとは異なる第２のプロトコルに従って確立される。
【先行技術文献】
【特許文献】
【０００８】
【特許文献１】米国特許出願１１／６４７，１２２
【特許文献２】米国特許出願１２／４２６，２５１
【特許文献３】米国暫定特許出願６１／４３０，１９３
【特許文献４】米国特許出願公報２００７／０２７５７４６
【特許文献５】米国特許出願公報２００９／０１２９３６７
【特許文献６】米国特許７，５４２，７２８
【特許文献７】米国特許７，５４５，７８７
【特許文献８】米国特許出願公報２０１０／０１４２５０４
【発明の概要】
【０００９】
以下に記載される本発明の１実施形態は、無線装置における通信方法を提供する。その方法は、広域無線データネットワークの基地局（ＢＳ）と第１の接続を確立し、そして無線ＬＡＮ（ＷＬＡＮ）上で第２の接続を確立するステップを含む。無線装置において、第２の接続上で通信するための時間インターバルが選択される。選択された時間インターバルの準備において、時間インターバルに先だって、基地局（ＢＳ）に対し無線装置からの送信待ちのデータがないと報告することにより、基地局（ＢＳ）に対し、時間インターバル中の第１の接続上での無線装置から基地局（ＢＳ）へのデータ送信をスケジューリングすることを控えさせる。  時間インターバル中に記無線装置を使用して第２の接続上で無線ＬＡＮ（ＷＬＡＮ）で通信する。
【００１０】
ある実施形態では、送信待ちのデータがないと報告するステップは、基地局（ＢＳ）に対し送信待ちデータの送信を時間インターバルの外側にスケジューリングするようにさせるため、幾つかのデータが基地局（ＢＳ）への送信待ちである場合でも実行される。ある実施形態では方法は時間インターバルの終わりに対する準備において、基地局（ＢＳ）に対し無線装置からの送信待ちのデータがあると報告するステップを含む。送信待ちのデータがあると報告するステップは、スケジューリングされる送信のサイズを制御するため、送信待ちのデータの実際のサイズと異なるデータ量を報告するステップを含む。
【００１１】
他の実施形態では、広域無線データネットワークはロングタームエボリューション（ＬＴＥ）規格に従って動作し、送信待ちのデータがないと報告するステップは、バッファ状況報告（ＢＳＲ）メッセージを送信するステップを含む。さらに他の実施形態では、基地局（ＢＳ）に対し送信待ちのデータがあると報告するステップと送信待ちのデータがないと報告するステップを交互に行うことにより、第１の接続と第２の接続を交互に使用する通信パターンを適用するステップを含む。ある実施形態では、選択された時間インターバルの前及び後において、第２の接続上での通信を禁止するステップを含む。基地局（ＢＳ）に報告するステップは、第１の接続のスケジューリング遅れ時間（レイテンシ）を考慮したある時点において基地局（ＢＳ）に報告メッセージを送るステップを含む。
【００１２】
本発明の他の実施形態によれば、さらに、無線装置であって、無線周波数（ＲＦ）フロントエンドと、無線周波数（ＲＦ）フロントエンドは、広域無線データネットワーク上と無線ＬＡＮ（ＷＬＡＮ）上で通信するため、ＲＦ信号を交換するように設定され、  基底帯域回路と、を有し、基底帯域回路は、無線周波数（ＲＦ）フロントエンドを介して、広域無線データネットワーク上の基地局（ＢＳ）と第１の接続を、そして無線ＬＡＮ（ＷＬＡＮ）上に第２の接続を確立し、第２の接続上で通信するための時間インターバルを選択し、選択された時間インターバルの準備において、時間インターバルの前に、基地局（ＢＳ）に対し無線装置からの送信待ちデータがないと報告することにより、基地局（ＢＳ）に対し、第１の接続上での無線装置から基地局（ＢＳ）へのデータ送信を時間インターバル中にスケジューリングすることを控えるようにさせ、そして、時間インターバル中に、無線ＬＡＮ（ＷＬＡＮ）上の第２の接続上で無線装置を使用して通信する、ように設定される、ことを特徴とする無線装置、が提供される。
【００１３】
本発明の実施形態によれば、無線装置における通信の方法がまた提供される。方法は、広域無線データネットワークの基地局（ＢＳ）と第１の接続を、基地局（ＢＳ）への送信のための上方リンクインターバルと基地局（ＢＳ）から受信するための下方リンクインターバルの交互シークエンスにおいて確立するステップと、無線装置において、第１の接続と同時に、第２の接続を無線装置に近接して配置される無線ＬＡＮ（ＷＬＡＮ）の局と確立するステップと、そして、下方リンク時間インターバル中に局が送信するのをブロックするため、無線装置から局へ信号を送ることにより、第２の接続上の局の送信からの第１の接続上の基地局（ＢＳ）の受信に対する干渉を防止するステップと、を有する。
【００１４】
ある実施形態では干渉を防止するステップは、下方リンク時間インターバル中に、局が受け取り確認メッセージを無線装置に送信するのを防止するため、無線装置が第２の接続上の局に送信することをブロックするステップを有する。他の実施形態では干渉を防止するステップは、局に対し「自身への送信可（ＣＴＳ−ｔｏ−ｓｅｌｆ）」メッセージを送信するステップを含む。開示された実施形態では、干渉を防止するステップは、局からのそれぞれの受信確認が第１の接続の上方リンクインターバル中に発生するように、無線装置から局への送信をスケジューリングするステップを含む。送信をスケジューリングするステップは、受信確認が上方リンクインターバル中に発生するように、それぞれの送信パラメータを設定するステップを含んでもよい。パラメータは、送信の持続期間および／または開始時間を含んでもよい。
【００１５】
他の実施形態では、干渉を防止するステップは、変調および符号化スキーム（ＭＣＳ）を使用して局と通信するステップを有し、スキームは、局の送信が下方リンクインターバルの外側に当てはまるように選択される。方法は変調および符号化スキーム（ＭＣＳ）を使用して局に送信するステップを有してもよく、スキームは、第１の接続上での無線装置の送信からの第２の接続上での局の受信に対する干渉を考慮に入れるために選択される。
【００１６】
ある実施形態では方法は、局へのデータ送信に使用される通常のパワーレベルより低いパワーレベルで局に受信確認メッセージを送信するステップと、そして、そのパワーレベルに適合するように受信確認メッセージの変調および符号化スキーム（ＭＣＳ）を設定するステップを含む。他の実施形態では干渉を防止するステップは、局をブロックし、しかし無線装置に近接しない他の局をブロックすることを避けるように選択されたパワーレベルで信号を送信するステップを含む。さらに他の実施形態では干渉を防止するステップは、無線装置において、第２の接続の時間ベースを第１の接続のフレーム時間ベースに同期させるステップを含む。
【００１７】
本発明の１実施形態によれば、無線周波数（ＲＦ）フロントエンドと基底帯域回路とを含む無線装置が提供される。無線周波数（ＲＦ）フロントエンドは、広域無線データネットワーク上と無線ＬＡＮ（ＷＬＡＮ）上で通信するため、ＲＦ信号を交換するように設定される。基底帯域回路は、無線周波数（ＲＦ）フロントエンドを介して、広域無線データネットワーク上の基地局（ＢＳ）と第１の接続を、基地局（ＢＳ）への送信のための上方リンクインターバルと基地局（ＢＳ）から受信するための下方リンクインターバルの交互シークエンスにおいて確立し、第１の接続と同時に、無線装置に近接して配置される無線ＬＡＮ（ＷＬＡＮ）の局と第２の接続を確立し、そして、下方リンク時間インターバル中に局が送信するのをブロックするため、無線装置から局へ信号を送ることにより、第２の接続上の局の送信からの第１の接続上の基地局（ＢＳ）の受信に対する干渉を防止する、ように設定される。
【００１８】
本発明の１実施形態によれば、無線装置における通信の方法が提供される。方法は、  広域無線データネットワークの基地局（ＢＳ）と第１の接続を確立し、そして、前記第１の接続と同時に、無線ＬＡＮ（ＷＬＡＮ）上で第２の接続を確立するステップと、活性化ピリオドと非活性化ピリオドのパターンを事前設定するモードにおいて、基地局（ＢＳ）と第１の接続上で通信するステップとを含む。第１の接続と第２の接続の間の干渉を低減するため、第１の接続に対し事前設定された活性化ピリオドと非活性化ピリオドのパターンに基づいて、第２の接続上の送信が設定される。  
【００１９】
ある実施形態では第１の接続はロングタームエボリューション（ＬＴＥ）規格に従って動作し、そして、モードは半持続スケジューリング（ＳＰＳ）および／または不連続受信（ＤＲＸ）を含む。ある実施形態では送信を設定するステップは、第２の接続上の送信が第１の接続の活性化ピリオド中に発生しないように防止するステップを含む。他の実施形態では送信を設定するステップは、第２の接続上での無線装置の送信を制御するステップを含む。
【００２０】
開示された実施形態では、送信を設定するステップは、無線装置が第２の接続上で通信する対向するエンドポイントの送信を制御するステップを含む。他の実施形態では送信を設定するステップは、送信を以下のパラメータのグループから選択される少なくとも１つのパラメータに基づいて制御するステップを含む：上方リンク送信に割り当てられた活性化ピリオドと下方リンク送信に割り当てられた活性化ピリオドの１つの識別と、送信に使用されるべきパワーレベルと、送信に使用されるべき信号タイプ。送信を設定するステップは、無線装置において、第２の接続の時間ベースを第１の接続のフレーム時間ベースに同期させるステップを含む。
【００２１】
さらに本発明の実施形態によれば、無線周波数（ＲＦ）フロントエンドと基底帯域回路を有する無線装置が提供される。無線周波数（ＲＦ）フロントエンドは、広域無線データネットワーク上と無線ＬＡＮ（ＷＬＡＮ）上で通信するため、ＲＦ信号を交換するように設定される。基底帯域回路は、無線周波数（ＲＦ）フロントエンドを介して、広域無線データネットワーク上の基地局（ＢＳ）と第１の接続を、そして第１の接続と同時に、無線ＬＡＮ（ＷＬＡＮ）上に第２の接続を確立し、活性化ピリオドと非活性化ピリオドのパターンを事前設定するモードで、基地局（ＢＳ）と第１の接続上で通信し、第１の接続と第２の接続の間の干渉を低減するため、第１の接続に対し事前設定された活性化ピリオドと非活性化ピリオドのパターンに基づいて、第２の接続上の送信を設定する、ように設定される。  
本発明は、図を伴った以下の実施形態の詳しい記述により、より十分に理解されよう：
【図面の簡単な説明】
【００２２】
【図１】本発明の１実施形態に基づく、ＬＴＥ／Ｗｉ−Ｆｉ通信システムを概略示すブロック図である。
【図２】本発明の１実施形態に基づく、ＬＴＥ／Ｗｉ−Ｆｉ共存の方法を概略示すフローチャートである。
【図３】本発明の１実施形態に基づく、ＬＴＥ／Ｗｉ−Ｆｉ送信のタイミングを示すダイアグラムである。
【図４】本発明の１実施形態に基づく、ＬＴＥ／Ｗｉ−Ｆｉ送信のタイミングを示すダイアグラムである。
【図５】本発明の他の実施形態に基づく、ＬＴＥ／Ｗｉ−Ｆｉ通信システムを概略示すブロック図である。
【図６】本発明の１実施形態に基づく、ＬＴＥ／Ｗｉ−Ｆｉ送信のタイミングを示すダイアグラムである。
【図７】本発明のさらに他の実施形態に基づく、ＬＴＥ／Ｗｉ−Ｆｉ共存の方法を概略示すフローチャートである。
【発明を実施するための形態】
【００２３】
（概論）
幾つかの通信装置は同時に広域データネットワーク（例えばロングタームエボリューション（ＬＴＥ）ネットワーク）上と、無線ＬＡＮ（ＷＬＡＮ）上で同時に通信する。実際には１つのネットワーク上の送信は他のネットワーク上での受信に干渉を与え、特に送信機と受信機が併置され、かつその２つのネットワークが隣接または重複する周波数帯域で動作する場合に干渉を与える。
【００２４】
以下に記載される本発明の実施形態は共存の改良された方法とシステムを提供し、それはこのような干渉を減少させ又は根絶する補助となる。ここに記載される実施形態は主としてＬＴＥとＷＬＡＮ（Ｗｉ−Ｆｉとも呼ばれる）について記載されるが、開示される技術は他の適合するネットワークタイプにも同様に適用可能である。
【００２５】
ある開示された実施形態では、無線装置は１つのＬＴＥ基地局（ＢＳ）及びＷＬＡＮ局（ＳＴＡ）又はアクセスポイント（ＡＰ）と同時に通信する。ＬＴＥ規格に従って、ＬＴＥ基地局（ＢＳ）は、無線装置が送信待ちのデータ量を報告する、バッファ状況報告（ＢＳＲ）メッセージに応答して、無線装置からの上方リンク送信のスケジュールを組む。無線装置はＢＳＲメカニズムを利用して、ＬＴＥ上方リンクの無い、従って干渉なくＷｉ−Ｆｉ通信に使用可能な時間インターバルを生成する。
【００２６】
ある実施形態では、無線装置はＷｉ−Ｆｉ通信に使用されるべき時間インターバルを選択する。選択された時間インターバルに対する準備において、無線装置は、ＬＴＥ基地局（ＢＳ）にゼロのＢＳＲを送信することにより、即ちＬＴＥ基地局（ＢＳ）に待ちデータが無いことを報告することにより、時間インターバルをＬＴＥ上方リンクが無いようにする。ＢＳＲ＝０のメッセージを受け取ると、ＬＴＥ基地局（ＢＳ）は、非ゼロＢＳＲを受信するまでは無線装置からの上方リンクデータ転送のスケジュールを一切組まない。従って無線装置はＢＳＲ＝０メッセージに続く時間インターバルをＬＴＥ干渉のリスクなくＷｉ−Ｆｉ通信に使用する。
【００２７】
他の開示された実施形態では、無線装置はＬＴＥ基地局（ＢＳ）と時間分割（ＴＤ）ＬＴＥモードで、上方リンクと下方リンクインターバルが交互配置されたシークエンスにおいて通信する。同時に無線装置は無線装置の近くに位置するＷｉ−Ｆｉ局（ＳＴＡ）と通信する。近接しているため、Ｗｉ−Ｆｉ局（ＳＴＡ）のＷｉ−Ｆｉ送信機からのＬＴＥ帯域に重なる帯域外発射が、ＬＴＥ受信に干渉を起こさせる可能性が有る。ある実施形態では、Ｗｉ−Ｆｉ局（ＳＴＡ）が下方リンク時間インターバル中に送信するのを阻止するための信号を無線装置が近隣のＷｉ−Ｆｉ局（ＳＴＡ）に送信することにより、この干渉を防止する。  
【００２８】
他の開示された実施形態では、無線装置はＬＴＥ基地局（ＢＳ）により非活性ピリオドで分離された活性ピリオド（例えば、ＬＴＥサブフレーム）が希薄なパターンで通信するように設定される。例えば、無線装置は、共にＬＴＥ規格で定義される半持続スケジューリング（ＳＰＳ）モード及び／又は不連続受信（ＤＲＸ）モードで動作するように設定されてもよい。ある実施形態では、無線装置は干渉を減少させるため、ＬＴＥ活性／不活性パターンに基づいてＷＬＡＮ上の通信を適応させてもよい。
【００２９】
（システムの記述）
図１は本発明の１実施形態に基づくＬＴＥ／Ｗｉ−Ｆｉ通信システム２０を概略示すブロック図である。システム２０は広域データネットワークとＷＬＡＮの両方の上で同時に通信する通信装置２４を有する。
【００３０】
この事例では、広域データネットワークは第三世代パートナーシッププロジェクト（３ＧＰＰ）ロングタームエボリューション（ＬＴＥ）規格に従って動作する。Ｅ−ＵＴＲＡとも呼ばれるＬＴＥは、例えば「技術規格グループ無線アクセスネットワーク；Ｅ−ＵＲＡ及びＥ−ＵＲＡＮ；総合記述；ステージ２（レリース９）」というタイトルの３ＧＰＰ技術規格、ＴＳ３６．３００，バージョン９．６．０、２０１０年１２月に規定されており、それはここに参照され採り入れられる。本発明の特許出願および請求項の文脈において、「ＬＴＥ規格」とは、上記規格の変化形や拡張を含む、ＬＴＥ通信を定義する任意の規格又は標準を総合的に示す。他の実施形態では、広域データネットワークは他の適合する現在又は将来のプロトコル規格に基づいて動作してもよい。
【００３１】
現在の事例のＷＬＡＮは、ＩＥＥＥ８０２．１１に従って動作する。例えば、２．４ＧＨｚ周波数帯のＷＬＡＮ動作はＩＥＥＥ標準８０２．１１−２００７、表題「ＩＴ用のＩＥＥＥ標準―遠隔通信及びシステム間情報交換−ローカル及び都市圏ネットワーク−特定の要求：パート１１：無線ＬＡＮメディアアクセスコントロール（ＭＡＣ）及び物理層（ＰＨＹ）規格」２００７年６月１２日によって規定され、それはここに参照され採り入れられる。ＷＬＡＮはＷｉ−Ｆｉとも呼ばれる。本発明の特許出願および請求項の文脈において、「ＷＬＡＮ」及び「Ｗｉ−Ｆｉ」とは、オリジナルのＩＥＥＥ８０２．１１および全ての上記規格の変化形や拡張（例えば、ＩＥＥＥ８０２．１１ｎ−２００９）を総合的に示すと共に任意の他の適合するＷＬＷＬＡＮタイプを示す。
【００３２】
図１の実施形態では、通信装置２４はｅＮｏｄｅＢとも呼ばれるＬＴＥ基地局（ＢＳ）２８と通信する。従って通信装置２４はＬＴＥユーザ機器（ＵＥ）として機能する。Ｗｉ−Ｆｉネットワーク上では、通信装置２４は、ある実施形態では、Ｗｉ−Ｆｉ局（ＳＴＡ）として機能し、他の実施形態では、Ｗｉ−Ｆｉアクセスポイント（ＡＰ）として機能する。従って通信装置２４はＷＬＡＮ上でＷｉ−Ｆｉ局（ＳＴＡ）またはＷｉ−Ｆｉアクセスポイント（ＡＰ）３２と通信する。通信装置２４は例えば、スマートフォン、携帯ルーター、固定ルーターまたは他の適合する装置などの、多重モード通信装置内で実現されてもよい。
【００３３】
種々の実施形態において、ＬＴＥとＷｉ−Ｆｉ通信は隣接する周波数帯で通信される。１つの事例では、通信装置２４はＬＴＥ周波数分割２重通信（ＦＤＤ）に従ってバンド７で動作し、上方リンク（ＵＬ）は２５００−２５７０ＭＨｚレンジで送信され、下方リンク（ＤＬ）は２６２０−２６９０ＭＨｚで送信され、Ｗｉ−Ｆｉネットワーク上では２４００−２４８０ＭＨｚレンジで送信される。あるいは、他の動作モード（例えば時分割二重通信ＴＤＤ）及び周波数帯も使用可能である。位置と周波数が近接していることにより１つのネットワークにおける動作が他のネットワークからの干渉を受ける可能性が有る。以下で詳述されるように、通信装置２４はこのような干渉を減少させ又は根絶する共存スキームを適用する。これらの技術を適用する場合、通信装置２４は、どちらのネットワークに対しても性能の低下を殆ど又は全く引き起こすことなく、同時にＬＴＥ及びＷｉ−Ｆｉ通信セッションを実行することができる。
【００３４】
ここに記載される実施形態は主としてＬＴＥ及びＷｉ−Ｆｉ能力を持つ単一の通信装置について述べているが、ここに開示される技術の幾つかは、干渉問題を抱える分離されたしかし近接するＬＴＥ及びＷｉ−Ｆｉ装置に対し同様に適用可能である。
【００３５】
図１の実施形態では、通信装置２４はアンテナ３６及び無線周波数（ＲＦ）フロントエンド４０を有し、それらを使用して通信装置２４はＬＴＥ基地局（ＢＳ）２８及びＷｉ−Ｆｉ局（ＳＴＡ）またはＷｉ−Ｆｉアクセスポイント（ＡＰ）３２とＲＦ信号を交換し、ＬＴＥ及びＷｉ−Ｆｉネットワーク上で通信する。ＬＴＥ基底帯域（ＢＢ）プロセッサ４４は装置のＬＴＥユーザ機器（ＵＥ）プロセシング機能を果たす。Ｗｉ−Ｆｉ基底帯域（ＢＢ）プロセッサ４８は装置のＷｉ−Ｆｉ（ＳＴＡまたはＡＰ）プロセシング機能を果たす。
【００３６】
ある実施形態では、ＬＴＥ及びＷｉ−Ｆｉ基底帯域（ＢＢ）プロセッサはＬＴＥ／Ｗｉ−Ｆｉ共存に資する情報を交換するために共存インタフェース上で互いに通信する。ＲＦフロントエンド４０はＬＴＥ及びＷｉ−Ｆｉにより共有され、即ちＬＴＥ及びＷｉ−Ｆｉネットワークの両方に対し送信及び受信を実行する。ＲＦフロントエンド４０はＬＴＥ／Ｗｉ−Ｆｉ干渉を緩和又は低減する適合するフィルターを有してもよい。
【００３７】
図１に示す通信装置２４の構成は例示的な構成であり、概念を明確にする目的だけのために選択された。他の実施例では、他の適合する装置構成が使用可能である。例えば、ＬＴＥ及びＷｉ−Ｆｉ通信は分離されたＲＦフロントエンド及びアンテナを介して実行されてもよい。他の事例として、ＬＴＥ基底帯域（ＢＢ）プロセッサ４４およびＷｉ−Ｆｉ基底帯域（ＢＢ）プロセッサ４８は単一の基底帯域（ＢＢ）プロセッサにより実行されてもよい。本説明においてはＬＴＥ基底帯域（ＢＢ）プロセッサ４４およびＷｉ−Ｆｉ基底帯域（ＢＢ）プロセッサ４８は、集合的に、開示される技術を実行する基底帯域回路と呼ばれる。通信装置２４の一定の要素は１つ以上の特定用途向けＩＣ（ＡＳＩＣ）またはフィールドプログラマブルゲートアレイ（ＦＰＧＡ）などのハードウェアを使用して実行されてもよい。あるいは、通信装置２４のある要素はソフトウェア又はハードウェアとソフトウェア要素の組合せを使用して実行されてもよい。
【００３８】
ある実施形態では、通信装置２４の機能は、ここに記載される機能を実行するようにソフトウェア内でプログラムされた汎用コンピュータを使用して実行されてもよい。ソフトウェアはコンピュータに電子形態で、例えばネットワーク上でダウンロードされてもよく、あるいは又はさらに、磁気、光、電子メモリーのような非一過性接触可能媒体上に提供及び／又は記憶されてもよい。
【００３９】
（バッファ状況報告（ＢＳＲ）を使用した共存）
ある実施形態では、通信装置２４は（通信装置２４からＬＴＥ基地局（ＢＳ）２８への）ＬＴＥ上方リンクのない時間インターバルを、ＬＴＥで定義されたバッファ状況報告（ＢＳＲ）を利用して生成する。これらの時間インターバルはその後、装置のＷｉ−Ｆｉ受信に影響する通信装置２４からのＬＴＥ発信のリスク無く、Ｗｉ−Ｆｉ通信に使用可能である。
【００４０】
バッファ状況報告（ＢＳＲ）メカニズムは上記で引用した３ＧＰＰ  ＴＳ  ３６．３００のセクション１１．３で定義されているが、また表題「技術規格グループ無線アクセスネットワーク；Ｅ−ＵＲＡ；ＭＡＣプロトコル規格（レリース９）」というタイトルの３ＧＰＰ技術規格、ＴＳ３６．３００，バージョン９．３．０、２０１０年６月、３ＧＰＰ  ＴＳ  ３６．３２１のセクション５．４．５にも定義されており、それはここに参照され採り入れられる。この定義に従って、ＬＴＥユーザ機器（ＵＥ）は、その送信バッファにバッファされ、送信待ちであるデータのデータ量をＬＴＥ基地局（ＢＳ）に報告するため、バッファ状況報告（ＢＳＲ）メッセージを使用する。ゼロのＢＳＲはデータ待ちがないことを意味する。ＬＴＥ基地局（ＢＳ）は、種々のＵＥの上方リンク送信をそれらが送信するＢＳＲメッセージに基づいてスケジューリングする。特に、特定のＵＥがＢＳＲ＝０を報告すると、ＬＴＥ基地局（ＢＳ）は、その後非ゼロＢＳＲを受信するまでそのＵＥに対する上方リンクデータ送信をスケジューリングしない。
【００４１】
ある実施形態では、通信装置２４のＬＴＥ基底帯域（ＢＢ）プロセッサ４４はＷｉ−Ｆｉネットワーク上での通信のための時間インターバルを選択する。選択された時間インターバルの準備において、ＬＴＥ基底帯域（ＢＢ）プロセッサ４４は、そのインターバルの前にＢＳＲ＝０メッセージ（ＢＳへの送信待ちのデータがないことを示す）をＬＴＥ基地局（ＢＳ）２８に送信することにより、その時間インターバルにおいてＬＴＥ上方リンク送信がないことを保証する。ＬＴＥ基底帯域（ＢＢ）プロセッサ４４は非ゼロＢＳＲメッセージ（ＢＳへの送信待ちの一定量のデータがあることを示す）をインターバルの終わりに向かって送信する。ＢＳＲ＝０メッセージの受信に応答してＬＴＥ基地局（ＢＳ）２８は、通信装置２４からのＬＴＥ上方リンク送信をスケジューリングすることを控える。ＬＴＥ基地局（ＢＳ）２８は非ゼロＢＳＲメッセージの受信後、ＬＴＥ上方リンク送信をスケジューリングする。
【００４２】
このようにして、ＬＴＥ基底帯域（ＢＢ）プロセッサ４４は、システム２０が、ＬＴＥ上方リンク送信を意図した時間インターバルと、ＬＴＥ上方リンク送信のない時間インターバル（従ってＷｉ−Ｆｉ通信に使用可能）の間を交互に繰り返すパターンで動作するようにさせてもよい。
【００４３】
図２は本発明の１実施形態に基づく、ＬＴＥ／Ｗｉ−Ｆｉ共存の方法を概略示すフローチャートである。その方法は非ゼロＢＳＲステップ６０において、ＬＴＥ基底帯域（ＢＢ）プロセッサ４４がＬＴＥ基地局（ＢＳ）２８に対し、非ゼロＢＳＲを報告するバッファ状況報告（ＢＳＲ）メッセージを送信することから始まる。
【００４４】
ある実施形態では、Ｗｉ−Ｆｉブロックステップ６４において、ＬＴＥ上方リンク送信に使用される時間インターバル中、通信装置２４がＷｉ−Ｆｉ通信をブロックする。例えば、ＬＴＥ基底帯域（ＢＢ）プロセッサ４４は適切な指示を共存インタフェースを介して送信することにより、Ｗｉ−Ｆｉ基底帯域（ＢＢ）プロセッサ４８がＷｉ−Ｆｉ通信を禁止するようにさせる。
【００４５】
非ゼロＢＳＲを受け取ると、ＬＴＥ基底帯域（ＢＢ）プロセッサ４４は通信装置２４からの上方リンク送信をスケジューリングする。ＬＴＥ上方リンク送信ステップ６８において、ＬＴＥ基底帯域（ＢＢ）プロセッサ４４は、この割り当てを使用して、その時間インターバル中に待ちデータをＬＴＥ基地局（ＢＳ）２８に送信する。
【００４６】
ＬＴＥ上方リンクインターバルの終わりに、ゼロＢＳＲステップ７２において、ＬＴＥ基底帯域（ＢＢ）プロセッサ４４は、ＬＴＥ基地局（ＢＳ）２８に対し、ＢＳＲがゼロである（即ち、送信バッファには待ちデータがない）ことを報告するメッセージを送信する。ゼロＢＳＲメッセージに応答して、ＬＴＥ基地局（ＢＳ）２８は通信装置２４からのＬＴＥ上方リンク送信をスケジューリングしない。このように、Ｗｉ−Ｆｉ通信ステップ７６において、Ｗｉ−Ｆｉ基底帯域（ＢＢ）プロセッサ４８は、ＬＴＥ上方リンク送信からの干渉のリスク無く、Ｗｉ−Ｆｉネットワーク上でＷｉ−Ｆｉ局（ＳＴＡ）またはＷｉ−Ｆｉアクセスポイント（ＡＰ）３２と通信する。
【００４７】
方法はその後、他の１つのＬＴＥ上方リンクインターバルをスケジューリングするためのステップ６０にループして戻る。この技術を使用して、通信装置２４は、ＬＴＥ上方リンクインターバルと、ＬＴＥ上方リンク送信の無いインターバルの交互のパターンを強制してもよい。
【００４８】
この方法を使用する場合、少なくとも幾つかのシナリオにおいて、通信装置２４がその送信バッファに待ちデータがあるにも拘わらず、ゼロＢＳＲを報告してもよい。この種の報告は、ＬＴＥ基地局（ＢＳ）２８に対し、その後の非ゼロＢＳＲの受信の後においてのみ、このデータのＬＴＥ上方リンク上での送信をスケジューリングさせる。言い換えればこの技術は、通信装置２４が上方リンクデータの送信を時間インターバルの終りまで引き伸ばすことを可能にする。
【００４９】
通常、通信装置２４からの非ゼロＢＳＲメッセージの送信とＬＴＥ基地局（ＢＳ）２８による上方リンク送信のスケジューリングの間には一定の遅延（レイテンシー）がある。この遅延（レイテンシー）はＬＴＥプロトコルに起因し、そしてその大きさは約１０ｍｓである。通常ＬＴＥ基底帯域（ＢＢ）プロセッサ４４は、時間インターバルのタイミングを設定する場合に、この遅延（レイテンシー）を考慮に入れる。ある実施形態では、ＬＴＥ基底帯域（ＢＢ）プロセッサ４４は、通信装置２４からＬＴＥ基地局（ＢＳ）２８へのＬＴＥ接続の実スループットを考慮しながら、時間インターバルの大きさ及び／または負荷サイクルを設定する。これらのパラメータは、例えば報告されるＢＳＲ値（待ちデータの報告される値）を設定することにより、設定可能である。
【００５０】
例えば平均上方リンクスループットを１０Ｍｂｐｓ（＝１０Ｋｂｐｓ／ｍｓ）とし、所望の活性時間（それぞれの上方リンクインターバルの長さ）が１０ｍｓと仮定する。このような場合、１００Ｋｂの待ちデータがあると報告するＢＳＲメッセージを送ることは、ＬＴＥ基地局（ＢＳ）２８に対し、約１０ｍｓの上方リンク送信をスケジューリングさせる。従って少なくとも幾つかの場合には、通信装置２４が非ゼロＢＳＲメッセージにおいて報告するデータの量は、実際の送信待ちデータの量とは異なる。
【００５１】
図３は本発明の１実施形態に基づく、ＬＴＥとＷｉ−Ｆｉ送信のタイミングを示すダイアグラムである。図３の事例は、いかに通信装置２４が上記のＢＳＲメカニズムを使用して、ＬＴＥ上方リンク用の時間インターバル及びＬＴＥ上方リンク送信のない時間インターバルを生成するかを示す。
【００５２】
図３の上段は、ＬＴＥ制御メッセージングを示し、特に通信装置２４からＬＴＥ基地局（ＢＳ）２８に送られた、非ゼロＢＳＲメッセージ８０とゼロＢＳＲメッセージ８８を示す。図３の中段は、ＬＴＥ上方リンクデータ送信のタイミングを示す。ＬＴＥ基地局（ＢＳ）２８は、それぞれの非ゼロＢＳＲの後に一定の遅延（レイテンシー、例えば１０ｍｓ）でＬＴＥ上方リンク送信８４をスケジューリングする。図３の下段はＷｉ−Ｆｉ活性の時間ピリオドを示す。詳細には、Ｗｉ−Ｆｉ活性は、ＬＴＥ上方リンク送信からの干渉を避けるため、Ｗｉ−Ｆｉブロックインターバル９２（ＬＴＥ上方リンク送信８４に対応する）の間はブロックされる。
【００５３】
通信装置２４は、ＬＴＥ上方リンク送信の終わりに向かって、ゼロＢＳＲメッセージ８８をＬＴＥ基地局（ＢＳ）２８に送る。ゼロＢＳＲメッセージの後は、ＬＴＥ基地局（ＢＳ）は次の非ゼロＢＳＲメッセージ８０まではＬＴＥ上方リンク送信をスケジューリングしない。従ってこれらＢＳＲメッセージはＷｉ−Ｆｉ活性ピリオド９６を形成し、その中で通信装置２４は、ＬＴＥ上方リンクからの干渉なくＷｉ−Ｆｉネットワーク上で通信できる。
【００５４】
ある事例では、それぞれの上方リンクデータ送信８４は長さ２０ｍｓであり、それぞれのＷｉ−Ｆｉ活性ピリオド９６は長さ１５ｍｓである。あるいは他の任意の適合する長さも使用可能である。
【００５５】
ＬＴＥ基底帯域（ＢＢ）プロセッサ４４は、Ｗｉ−Ｆｉブロックインターバル９２の間いろいろな方法でＷｉ−Ｆｉ通信をブロックする。ある実施形態では、ＬＴＥ基底帯域（ＢＢ）プロセッサ４４はＷｉ−Ｆｉ基底帯域（ＢＢ）プロセッサ４８に対し、ＢＢプロセッサ間の共存インタフェースを使用して、Ｗｉ−Ｆｉブロックインターバル９２のタイミングについて明示的に情報を与える。Ｗｉ−Ｆｉ基底帯域（ＢＢ）プロセッサ４８はＷｉ−Ｆｉブロックインターバル９２の間、任意の適合する方法、例えばＬＴＥ上方リンク送信インターバル８４の終わりに終了する‘自身への送信可（ＣＴＳ−ｔｏ−ｓｅｌｆ）’として知られるプロセスを使用して使用不能（ＮＡＶ）インターバルを設定することにより、Ｗｉ−Ｆｉ通信を禁止してもよい。
【００５６】
他の実施形態（例えば、ＬＴＥ及びＷｉ−Ｆｉ基底帯域（ＢＢ）プロセッサが分離された装置内にあり、及び／または共存インタフェースで接続されていない場合）では、ＬＴＥ基底帯域（ＢＢ）プロセッサ４４はＷｉ−Ｆｉ基底帯域（ＢＢ）プロセッサ４８に対しＷｉ−Ｆｉブロックインターバル９２のタイミングについて情報を与えない。これらの実施形態では、Ｗｉ−Ｆｉブロックインターバル９２の間のＷｉ−Ｆｉ下方リンク受信はＬＴＥ上方リンク送信からの干渉を受ける。干渉のレベルは、例えばＲＦフロントエンドのフィルター品質、通信装置２４内のＬＴＥとＷｉ−Ｆｉアンテナの間の絶縁、ＬＴＥ送信機の送信パワー及び他のＲＦパラメータ、Ｗｉ−Ｆｉ受信器のＲＦパラメータ、およびＷｉ−Ｆｉモデム品質によって異なる。激しい干渉の場合Ｗｉ−Ｆｉパケットは脱落しそして受信に成功するまで再送信される（Ｗｉ−Ｆｉブロックインターバル９２中、又はそれに続く干渉の無いインターバル８４のいずれかにおいて）。
【００５７】
バッファ状況報告（ＢＳＲ）に基づく共存技術は、通信装置２４において種々の方法で実施可能である。ある実施形態では、ＢＳＲ共存スキームがＬＴＥ基底帯域（ＢＢ）プロセッサ４４により実行される。この実行形態は有利である、なぜならば、ＬＴＥプロトコルスタックを走らせるＬＴＥ基底帯域（ＢＢ）プロセッサ４４がすでに送信バッファ状況に関する必要な情報を有しているからである。さらに、ＬＴＥ基底帯域（ＢＢ）プロセッサ４４がＬＴＥ基地局（ＢＳ）行動に関する価値のある情報、例えば非ゼロＢＳＲに反応するときのＬＴＥ基地局（ＢＳ）の遅延（レイテンシ）、を有してもよい。この種の情報は共存スキームの最適化に使用可能である。
【００５８】
他の実施形態では、バッファ状況報告（ＢＳＲ）に基づく共存技術はＬＴＥ基底帯域（ＢＢ）プロセッサ４４の外部にある他のプロセッサにより実行されてもよい。１つの事例では、共存スキームは、Ｗｉ−Ｆｉアクセスポイント（ＡＰ）の場合のＷｉ−Ｆｉ基底帯域（ＢＢ）プロセッサ４８により実行されてもよい。これらの実施形態では、ＢＳＲの制御は間接的であり、他のプロセッサが、ＬＴＥ基底帯域（ＢＢ）プロセッサ４４に提供される情報伝達速度を制御することによる。この実施形態では通常、その他のプロセッサは平均ＬＴＥ上方リンクスループットに関する明示的な情報を受信すべきであり、あるいは出力パケットを調査することにより暗示的にこのスループットを算定するべきである。このような実行形態は、有利でありうる、何故ならば、例えば、現在のＬＴＥ基底帯域（ＢＢ）プロセッサ又は他のＬＴＥユーザ機器（ＵＥ）要素を変更する必要が無いからである。
【００５９】
実行形態にかかわらず、通信装置２４のＬＴＥ送信バッファのサイズは、上方リンクパケットを保持し、ＬＴＥ上方リンクが不活性な持続期間をサポートするのに十分なサイズでなければならない。
【００６０】
上記のバッファ状況報告（ＢＳＲ）に基づくスキームは、通信装置２４の主たる干渉源がＬＴＥ上方送信からのＷｉ−Ｆｉ下方リンク受信に対するものであることを前提にしている。反対方向の干渉、即ちＷｉ−Ｆｉ上方リンクからＬＴＥ下方リンク送信の受信に対する干渉は、許容できる、または他の方法（例えば、ＲＦフロントエンド４０において十分なフィルタリングを使用すること）で緩和されると仮定されている。
【００６１】
ある実施形態では、ゼロＢＳＲメッセージにつづいて、ＬＴＥ基地局（ＢＳ）２８はＬＴＥ上方リンク上でのデータ送信をスケジューリングしないが、しかし、制御関連上方リンク送信をスケジューリングしてもよい。これらの制御関連送信はＷｉ−Ｆｉ下方リンクに対し干渉を起こす可能性が低い、何故ならば、それらの出力パワーは一般的にデータ送信の出力パワーより小さいからである。ある実施形態では、予想される干渉レベルによって、時々、制御関連送信をやめることも可能である。
【００６２】
（Ｗｉ−Ｆｉアクセスポイントと併置された時間分割ＬＴＥユーザ機器（ＵＥ）に対するＢＳＲベースの共存）
図４は本発明の１実施形態に基づく、ＬＴＥとＷｉ−Ｆｉ送信のタイミングを示すダイアグラムである。この実施形態では、ＬＴＥ基底帯域（ＢＢ）プロセッサ４４のＬＴＥ通信はＬＴＥ時間分割（ＴＤ）に従い、そしてＷｉ−Ｆｉ基底帯域（ＢＢ）プロセッサ４８はＷｉ−Ｆｉアクセスポイント（ＡＰ）として機能する。この事例では各ＬＴＥ  時間分割（ＴＤ）下方リンクフレームおよびＬＴＥ時間分割（ＴＤ）上方リンクフレームは長さ２．５ｍｓである、しかし他の任意の適合するフレーム寸法も使用可能である。
【００６３】
Ｗｉ−Ｆｉブロックインターバル９２の間、上述のようにＷｉ−Ｆｉ基底帯域（ＢＢ）プロセッサ４８はＷｉ−Ｆｉ通信を禁止する。これらインターバル（ＬＴＥ上方リンク送信インターバル８４に対応する）の間にＬＴＥ通信が上方リンクと下方リンクの両方で実行可能である。
【００６４】
Ｗｉ−Ｆｉブロックインターバル９２に挟まれた期間（即ち、Ｗｉ−Ｆｉ活性ピリオド中）、上記のＢＳＲベースのメカニズムに起因して、Ｗｉ−Ｆｉ受信に対してＬＴＥ上方リンク送信１０８による干渉は起こらない。しかし、干渉はＬＴＥ下方リンク送信１１２中には起りうる。（周波数分割２重通信（ＦＤＤ）シナリオでは、ＦＤＤバンド７が使用されると仮定されている。このバンドではＬＴＥ下方リンク周波数はＷｉ−Ｆｉ周波数と比較的大きく離れ、そしてフロントエンド絶縁はＷｉ−Ｆｉ活性ピリオドインターバル９６における干渉を防ぐのに十分であると仮定されている。）
【００６５】
この実施形態では、Ｗｉ−Ｆｉアクセスポイント（ＡＰ）はＬＴＥユーザ機器（ＵＥ）と併置されているため、この干渉は低減可能である。ある実施形態では、Ｗｉ−Ｆｉアクセスポイント（ＡＰ）（この例では基底帯域（ＢＢ）プロセッサ４８）は時間分割（ＴＤ）ＬＴＥフレームタイミングを認知しており、かつそれに同期している。Ｗｉ−Ｆｉアクセスポイント（ＡＰ）送信１００はＬＴＥ上方リンクインターバル１０８に同期している。このため、Ｗｉ−Ｆｉアクセスポイント（ＡＰ）（基底帯域（ＢＢ）プロセッサ４８）は通常ＬＴＥ上方リンクインターバル１０８の開始時間及び持続期間を認知し、そして、Ｗｉ−Ｆｉデータ寸法をこれらのインターバルに適合するように変更する（例えば、パケットを断片化することにより）。
【００６６】
さらに、ある実施形態では、それぞれのＷｉ−Ｆｉアクセスポイント（ＡＰ）送信１００の終わりは、１つのＬＴＥ上方リンクインターバル１０８の終わりにアライメントされる。アライメントにより、それぞれのＷｉ−Ｆｉ受信確認（ＡＣＫ）１０４（Ｗｉ−Ｆｉ局（ＳＴＡ）３２から無線装置２４のＷｉ−Ｆｉアクセスポイント（ＡＰ）に送られる）がＬＴＥ下方リンクインターバル１１２中に受信される。
【００６７】
通信装置２４のＷｉ−Ｆｉ受信器はＬＴＥ下方リンクインターバル１１２中に動作することを許されてもよい。Ｗｉ−Ｆｉバースト１１６が受信されると、通信装置２４のＷｉ−Ｆｉアクセスポイント（ＡＰ）は受信確認（ＡＣＫ）バースト１２０を送信すべきである。送信されたＡＣＫバーストはＬＴＥ下方リンクの受信に干渉する可能性がある。ある実施形態では、通信装置２４のＷｉ−Ｆｉアクセスポイント（ＡＰ）（基底帯域（ＢＢ）プロセッサ４８）は、受信確認（ＡＣＫ）バースト１２０を低出力パワーで、そして可能であれば低い（より強力な）変調および符号化スキーム（ＭＣＳ）で送信することにより、この問題を克服する。  
【００６８】
またはあるいは、ＬＴＥ基底帯域（ＢＢ）プロセッサ４４が、受信確認（ＡＣＫ）バースト１２０に起因する干渉をＬＴＥ下方リンク受信の一部として緩和してもよい。このような緩和は可能である、例えば、受信確認（ＡＣＫ）波形および関連するパラメータが通信装置２４にとって既知であり、そして受信確認（ＡＣＫ）バースト１２０の持続期間が比較的短いからである。この実施形態のＬＴＥ受信器は、事前に受信確認（ＡＣＫ）波形のパラメータについて通知されていて、そしてこの既知の干渉をその復調／復号プロセスの中で打ち消す。
【００６９】
他の実施形態では、ＬＴＥ時間分割（ＴＤ）フレームパターンは上方リンクインターバル１０８と下方リンクインターバル１１２の間に有限のギャップを有する。これらのギャップは、干渉を引き起こすことなく、通信装置２４のＷｉ−Ｆｉアクセスポイント（ＡＰ）からＷｉ−Ｆｉ受信確認（ＡＣＫ）メッセージを送信するのに使用可能である。    
【００７０】
（併置された時間分割（ＴＤ）ＬＴＥユーザ機器（ＵＥ）とＷｉ−Ｆｉアクセスポイント（ＡＰ）、と近隣のＷｉ−Ｆｉ局（ＳＴＡ）との共存）
図５は、本発明の他の実施形態に基づく、ＬＴＥ／Ｗｉ−Ｆｉ通信システム１３０を概略示すブロック図である。システム１３０において、通信装置１３４が時間分割（ＴＤ）ＬＴＥを使用してＬＴＥ基地局（ＢＳ）（ｅＮｏｄｅＢ）１３８と、そしてＷｉ−Ｆｉを使用して１つ以上のＷｉ−Ｆｉ局（ＳＴＡ）と同時に通信する。この事例では、通信装置１３４は遠隔地のＷｉ−Ｆｉ局（ＳＴＡ）１４２及び近隣のＷｉ−Ｆｉ局（ＳＴＡ）１４６と通信する。
【００７１】
通信装置１３４は例えば、ＬＴＥ及びＷｉ−Ｆｉアクセスポイント（ＡＰ）機能を有する携帯ルーター又はスマートフォンで実現されてもよい。ここに記載される実施形態ではＬＴＥ及びＷｉ−Ｆｉについて記載しているが、開示された技術は、図１に関して記述されたように、他の広域データネットワークまたはＷＬＡＮに対して同様に適用可能である。
【００７２】
通信装置１３４は、図１の通信装置２４と類似してアンテナ３５及びＲＦフロントエンド４０を有する。また通信装置１３４は、時間分割（ＴＤ）ＬＴＥユーザ機器（ＵＥ）として機能するＬＴＥ基底帯域（ＢＢ）プロセッサ１５０、及び、Ｗｉ−Ｆｉアクセスポイント（ＡＰ）として機能するＷｉ−Ｆｉ基底帯域（ＢＢ）プロセッサ１５４を有する。ある実施形態では、これら基底帯域（ＢＢ）プロセッサ１５０と１５４は共存インタフェース上で互いに通信する。
【００７３】
この実施形態では、Ｗｉ−Ｆｉ局（ＳＴＡ）１４６は通信装置１３４のごく近隣、例えば１ｍ未満の距離に位置する。本説明において、「ごく近隣」とは通信装置１３４のＬＴＥ受信器が、それらの間に周波数重複がなくても、Ｗｉ−Ｆｉ局（ＳＴＡ）１４６のＷｉ−Ｆｉ送信機からの干渉を受ける距離を意味する。例えば、Ｗｉ−Ｆｉ局（ＳＴＡ）１４６はＬＴＥ帯域と重なる帯域外スプリアス信号または雑音を発信する可能性が有り、そしてごく近隣において干渉する可能性が有る。
【００７４】
Ｗｉ−Ｆｉ局（ＳＴＡ）１４６は、例えば、ネットブック、スマートフォン、タブレットコンピュータ、ラップトップコンピュータ、または他の適合するタイプのＷｉ−Ｆｉ局（ＳＴＡ）を有してよい。Ｗｉ−Ｆｉ局（ＳＴＡ）１４６が通信装置１３４のごく近隣に位置するため、近隣のＷｉ−Ｆｉ局（ＳＴＡ）１４６のＷｉ−Ｆｉ受信のみならず通信装置１３４のＷｉ−Ｆｉ及びＬＴＥ受信に干渉が発生する。以下の記述は、この干渉を緩和する、事例としての共存スキームを提供する。
【００７５】
開示された技術は近隣Ｗｉ−Ｆｉ局（ＳＴＡ）１４６に対する、そして、からの干渉を低減するための、基底帯域（ＢＢ）プロセッサ１５０及び１５４間の（即ち、通信装置１３４内に併置される、時間分割（ＴＤ）ＬＴＥユーザ機器（ＵＥ）とＷｉ−Ｆｉアクセスポイント（ＡＰ）との間の）プロトコルレベルの調整に焦点を当てている。前提として、Ｗｉ−Ｆｉ局（ＳＴＡ）１４６が、例えば受信器の直線性及び送信機の発信に関して、必ずしも共存のために設計されていないとする。通信装置１３４内に併置される時間分割（ＴＤ）ＬＴＥユーザ機器（ＵＥ）とＷｉ−Ｆｉアクセスポイント（ＡＰ）は、例えばＲＦフロントエンド４０において十分なフィルタリングを使用することにより、共存すると仮定されている。このフィルタリングは、ＬＴＥ基底帯域（ＢＢ）プロセッサ１５０のＬＴＥ送信からのＷｉ−Ｆｉ基底帯域（ＢＢ）プロセッサ１５４のＷｉ−Ｆｉ受信に対する干渉、及びＷｉ−Ｆｉ基底帯域（ＢＢ）プロセッサ１５４のＷｉ−Ｆｉ送信からのＬＴＥ基底帯域（ＢＢ）プロセッサ１５０のＬＴＥ受信に対する干渉に打ち勝つと仮定されている。
【００７６】
このような構成において、以下の表で要約されるように、いくつかの異なる干渉モードが起り得る：
【表１】
0005931917.tif 000002
0005931917.tif 000003
【００７７】
表から判るように、干渉の主たる形態は近隣Ｗｉ−Ｆｉ局（ＳＴＡ）１４６からの通信装置１３４のＬＴＥ受信に対する干渉である。
近隣Ｗｉ−Ｆｉ局（ＳＴＡ）１４６と通信装置１３４のＷｉ−Ｆｉアクセスポイント（ＡＰ）の距離が短いため、近隣Ｗｉ−Ｆｉ局（ＳＴＡ）１４６はＷｉ−Ｆｉチャネル上で高い変調および符号化スキーム（ＭＣＳ）で送信でき、従ってＷｉ−Ｆｉ送信のバースト持続期間は比較的短い。ある実施形態では、この特徴により近隣Ｗｉ−Ｆｉ局（ＳＴＡ）１４６により送信されるＷｉ−Ｆｉバーストは（比較的短い）ＬＴＥ上方および下方インターバル（通常約２．５ｍｓ）の中にフィットする。
【００７８】
図６は本発明の１実施形態に基づく、ＬＴＥおよびＷｉ−Ｆｉ送信のタイミングを示すダイアグラムである。この図は例示としての共存スキームを示し、通信装置１３４はそのスキームを使用して近隣のＷｉ−Ｆｉ局（ＳＴＡ）１４６のＷｉ−Ｆｉ送信からのＬＴＥ基底帯域（ＢＢ）プロセッサ１５０のＬＴＥ受信に対する干渉を低減させる。
【００７９】
図６の上段は時間分割（ＴＤ）ＬＴＥユーザ機器（ＵＥ）（基底帯域（ＢＢ）プロセッサ１５０）のフレームパターンを示し、図の中段は通信装置１３４のＷｉ−Ｆｉアクセスポイント（ＡＰ）（基底帯域（ＢＢ）プロセッサ１５４）の動作を示し、下段は近隣のＷｉ−Ｆｉ局（ＳＴＡ）１４６の動作を示す。
【００８０】
ＬＴＥユーザ機器（ＵＥ）基底帯域（ＢＢ）プロセッサ１５０は下方リンクインターバル１６０と上方リンクインターバル１６４が交替するパターンで動作する。それぞれの下方リンクインターバル１６０と後続の上方リンクインターバル１６４の間には上方リンクガードインターバル１６８が挿入される。ある実施形態では、下方リンクインターバル１６０と上方リンクインターバル１６４は同じサイズであり、即ち下方リンクと上方リンク時間の比率が５０％／５０％である。この実施形態では、それぞれの下方リンクと上方リンクインターバルは約２．２ｍｓであり、そして上方リンクガードインターバル１６８は約０．６ｍｓである。あるいは他の適合する数値も使用可能である。
【００８１】
ある実施形態では、併置されるＷｉ−Ｆｉアクセスポイント（ＡＰ）（基底帯域（ＢＢ）プロセッサ１５４）はＷｉ−Ｆｉ時間ベースをＬＴＥユーザ機器（ＵＥ）（基底帯域（ＢＢ）プロセッサ１５０）のＬＴＥフレーム時間ベースに同期させる。以下に述べるように、Ｗｉ−Ｆｉ  ＡＰ（ＢＢプロセッサ１５４）はそのＷｉ−Ｆｉ動作をＬＴＥフレーム構成に基づいてスケジューリングする。下方リンクインターバル１６０中、近隣のＷｉ−Ｆｉ局（ＳＴＡ）１４６からのＬＴＥ  ＵＥ（ＢＢプロセッサ１５０）のＬＴＥ受信に対する干渉を阻止するため、Ｗｉ−Ｆｉ  ＡＰ（ＢＢプロセッサ１５４）は信号を近隣Ｗｉ−Ｆｉ局（ＳＴＡ）１４６に送信し、少なくとも次の上方リンクガードインターバル１６８の始まりまで近隣Ｗｉ−Ｆｉ局（ＳＴＡ）１４６のトラフィックをブロックしてもよい（例えば、自身への送信可（ＣＴＳ−ｔｏ−ｓｅｌｆ）メッセージ又は他の適合する技術を使用して）。
【００８２】
近隣のＷｉ−Ｆｉ局（ＳＴＡ）１４６が送信をブロックされるブロックインターバル１７２が図の中段に示される。図から判るように、近隣Ｗｉ−Ｆｉ局（ＳＴＡ）１４６はＬＴＥ下方リンクインターバル１６０中（即ち、ＬＴＥ  ＵＥ（ＢＢプロセッサ１５０）のＬＴＥ受信中）は送信しない。従ってシステム１３０における主たる干渉の原因は消滅する。
【００８３】
このブロッキングのため、たいていのシナリオでは、近隣Ｗｉ−Ｆｉ局（ＳＴＡ）１４６は送信バースト１９２を上方リンクガードインターバル中に開始する。なぜならば、近隣Ｗｉ−Ｆｉ局（ＳＴＡ）１４６はこの時点まで送信をブロックされているからである。送信バースト１９２は次のＬＴＥ上方リンクインターバル１６４の始まりの前または後のいずれかで終了してよい。いずれの場合でも、送信バースト１９２はＷｉ−Ｆｉ    ＡＰ（ＢＢプロセッサ１５４）により成功裏に受信される。送信バースト１９２の受信は図ではインターバル１７６で示される。
【００８４】
殆どの場合送信バースト１９２は、近隣Ｗｉ−Ｆｉ局（ＳＴＡ）１４６と通信装置１３４が近接していることにより可能となる高い変調および符号化スキーム（ＭＣＳ）を前提として、現在のＬＴＥ上方リンクインターバル１６４の前に終了する。上記のように、近隣Ｗｉ−Ｆｉ局（ＳＴＡ）１４６が通信装置１３４に近接しているため、近隣Ｗｉ−Ｆｉ局（ＳＴＡ）１４６と通信装置１３４の間の通信は高い変調および符号化スキーム（ＭＣＳ）を使用して実行され、それは通信バーストを短くし、通信バーストがＬＴＥ下方リンクインターバル１６０の外側にフィットすることを可能にする。
【００８５】
バースト１９２を受け取るとすぐに、Ｗｉ−Ｆｉアクセスポイント（ＡＰ）（基底帯域（ＢＢ）プロセッサ１５４）は受信確認（ＡＣＫ）１８０で応答するべきである。受信確認（ＡＣＫ）は低いビットレートで送信されてもよい、何故ならば、近隣Ｗｉ−Ｆｉ局（ＳＴＡ）１４６は上方リンクインターバル１６４内のＬＴＥ上方リンク送信により僅かに干渉または感度を低下させられているからである。近隣Ｗｉ−Ｆｉ局（ＳＴＡ）１４６における受信確認（ＡＣＫ）１８０の受信はインターバル１９６で示される。通常、近隣Ｗｉ−Ｆｉ局（ＳＴＡ）１４６は同じＬＴＥ上方リンクインターバル１６４中は新規バーストの送信を開始しない。何故ならば、そのクリアチャネルアセスメント（ＣＣＡ）メカニズムがＬＴＥ送信の結果としてブロックされる可能性が有るからである。ＣＣＡブロックピリオドはインターバル２００で示される。
【００８６】
ある実施形態では、Ｗｉ−Ｆｉ局（ＳＴＡ）１４６からの予想される受信確認（ＡＣＫ）（インターバル２０８と記され、Ｗｉ−Ｆｉ  ＡＰ（ＢＢプロセッサ１５４）においてインターバル１８８として受信される）が、ＬＴＥ上方リンクインターバル１６４中（現在のＬＴＥ上方リンクインターバル１６４又は後続のＬＴＥ上方リンクインターバル１６４）に受信されると計算されるように、送信がスケジューリングされるかぎりにおいて、通信装置１３４のＷｉ−Ｆｉ  ＡＰ（ＢＢプロセッサ１５４）は、ＬＴＥ上方リンクインターバル１６４中または後続のＬＴＥ下方リンクインターバル１６０中にその送信１８４を開始するようにスケジューリングしてもよい。
【００８７】
ある実施形態では、送信がＬＴＥ上方リンクインターバル１６４中に行われる場合、ＬＴＥ  ＵＥ（ＢＢプロセッサ１５０）のＬＴＥ上方リンク送信からの高い干渉と組み合わせて、近隣Ｗｉ−Ｆｉ局（ＳＴＡ）１４６が高い変調および符号化スキーム（ＭＣＳ）を取り扱えない場合を考慮に入れるため、Ｗｉ−Ｆｉ  ＡＰ（ＢＢプロセッサ１５４）は送信１８４の変調および符号化スキーム（ＭＣＳ）を減少させる。
【００８８】
ある実施形態では、Ｗｉ−Ｆｉ  ＡＰ（ＢＢプロセッサ１５４）は、ＬＴＥ下方リンクインターバル１６０を超えて所定の送信１８４の持続期間を延長し、受信確認（ＡＣＫ）２０８は、あるＬＴＥ上方リンクインターバル１６４中に受信される。Ｗｉ−Ｆｉ  ＡＰ（ＢＢプロセッサ１５４）は送信１８４の持続期間を、例えば、意図的に送信に使用される変調および符号化スキーム（ＭＣＳ）を減少させることにより、またはダミー情報バイトを送信に付加することにより、または多重のパケットを連結し単一の長い送信１８４を形成することにより、または他の任意の適合する技術を使用することにより、延長する。
【００８９】
ある実施形態では、ＬＴＥ上方リンクインターバル１６４の終わりに向かって、Ｗｉ−Ｆｉ  ＡＰ（ＢＢプロセッサ１５４）は、新規の送信１８４を開始するか、あるいは後続のＬＴＥ下方リンクインターバル１６０をＷｉ−Ｆｉ局（ＳＴＡ）の送信からブロックする（自身への送信可（ＣＴＳ−ｔｏ−ｓｅｌｆ）プロセスまたは他の適合する技術を使用して）のいずれかをおこなう。このブロック（インターバル１７２）は次の上方リンクガードインターバル１６８の開始時に又は開始の後に終了するべきである。Ｗｉ−Ｆｉ  ＡＰ（ＢＢプロセッサ１５４）はブロックインターバル１７２の終わりの直後に送信バースト１８４をスケジューリングしてもよく、送信バースト１８４それ自体は、下方リンクインターバル１６０の終わりか、または上方リンクガードインターバル１６８中に終了するかのいずれかである。このような場合、対応する受信確認（ＡＣＫ）２０８は、上方リンクガードインターバル１６８中か、後続の上方リンクインターバル１６４中に受信される。
【００９０】
ある実施形態では、通信装置１３４のＷｉ−Ｆｉ  ＡＰ（ＢＢプロセッサ１５４）は近隣Ｗｉ−Ｆｉ局（ＳＴＡ）１４６への送信をブロックまたは延期し、近隣Ｗｉ−Ｆｉ局（ＳＴＡ）１４６は、これらの送信に対する受信確認（ＡＣＫ）メッセージをＬＴＥ接続の下方リンクインターバル中は送信しない。この技術は、近隣Ｗｉ−Ｆｉ局（ＳＴＡ）１４６から送信された受信確認（ＡＣＫ）による、ＬＴＥ  ＵＥ（ＢＢプロセッサ１５０）のＬＴＥ受信に対する干渉を防止する。
【００９１】
ある実施形態では、Ｗｉ−Ｆｉ  ＡＰ（ＢＢプロセッサ１５４）は近隣にない（従ってＬＴＥユーザ機器（ＵＥ）受信に干渉を起こさない）追加のＷｉ−Ｆｉ局（ＳＴＡ）（例えばＷｉ−Ｆｉ局１４２）と通信する。例えばＷｉ−Ｆｉ  ＡＰ（ＢＢプロセッサ１５４）は他のＷｉ−Ｆｉ局（ＳＴＡ）との通信を任意の時間（例えば、ＬＴＥ上方リンクインターバル１６４中又はＬＴＥ下方リンクインターバル１６０中）にスケジューリングしてもよい。（近隣のＷｉ−Ｆｉ局（ＳＴＡ）１４６の送信を阻止するインターバル１７２中に）Ｗｉ−Ｆｉチャネルをブロックする場合、Ｗｉ−Ｆｉ  ＡＰ（ＢＢプロセッサ１５４）は、近隣のＷｉ−Ｆｉ局（ＳＴＡ）１４６のみを選択的にブロックし、しかし他のＷｉ−Ｆｉ局（ＳＴＡ）とは通信できるように、ブロック送信（例えば、自身への送信可（ＣＴＳ−ｔｏ−ｓｅｌｆ））を低いパワーで送信してもよい。
【００９２】
ある実施形態では、ＬＴＥ下方リンク信号がＬＴＥ  ＵＥ（ＢＢプロセッサ１５０）において一定の閾値をこえるレベルで受信された場合、Ｗｉ−Ｆｉ  ＡＰ（ＢＢプロセッサ１５４）は、ＬＴＥ下方リンクインターバル１６０中はＷｉ−Ｆｉ局（ＳＴＡ）をブロックするのを控えてもよい。
【００９３】
ある場合には、ＬＴＥ上方リンクの送信信号（インターバル１６４において）は、一定の閾値より低く、近隣のＷｉ−Ｆｉ局（ＳＴＡ）１４６のクリアチャネルアセスメント（ＣＣＡ）メカニズムが起動されない。ある実施形態では、近隣のＷｉ−Ｆｉ局（ＳＴＡ）１４６が新規の送信バースト１９２を開始するのを防止するため、Ｗｉ−Ｆｉ  ＡＰ（ＢＢプロセッサ１５４）は明示的なＷｉ−Ｆｉ送信（またはブロック）を開始することにより、ＬＴＥ下方リンクインターバル１６０を保護してもよい。これらの実施形態では、ブロック動作は近隣のＷｉ−Ｆｉ局（ＳＴＡ）１４６がもう１つのバースト１９２を送信しようとする試みに対して、優先権を有するべきである。この優先権は、例えば、Ｗｉ−Ｆｉアクセスポイント（ＡＰ）のランダムなバックオフ処理（Ｗｉ−Ｆｉの搬送波検知多重アクセス方式（ＣＳＭＡ）メディアアクセス制御（ＭＡＣ）プロトコルによる）を変更することにより、達成可能である。
【００９４】
ある実施形態では、図６のブロックスキームは、ＬＴＥ上方リンクデータ送信のない、既知の（多くの場合長い）ピリオドを生成するため、図２−４のＢＳＲベースのスキームと組合せることが可能である。
【００９５】
ある実施形態では、ＬＴＥ  ＵＥ（ＢＢプロセッサ１５０）は定期的に周辺のＬＴＥ基地局（ｅＮｏｄｅＢｓ）を監視する測定を実行するように要求されてもよい。これらの実施形態では、ＬＴＥ  ＵＥ（ＢＢプロセッサ１５０）は併置されるＷｉ−Ｆｉ  ＡＰ（ＢＢプロセッサ１５４）に測定インターバルを通知し、そしてＷｉ−Ｆｉ  ＡＰ（ＢＢプロセッサ１５４）が、近隣Ｗｉ−Ｆｉ局（ＳＴＡ）１４６がこれらインターバル中に送信するのをブロックしてもよい。この追加の保護メカニズムは、ハンドオーバーピリオドやシステム制御情報の送信に使用される既知のピリオドのような、要注意なＬＴＥピリオドの場合に適用されてもよい。
【００９６】
（併置されたＷＩ−ＦＩ装置及びＳＰＳ／ＤＲＸモードで動作するＬＴＥ装置間の共存）
ＬＴＥ規格は、オーバーヘッドをスケジューリングし、及び／またはバッテリーパワーを節約するため、活性ピリオドが希薄なパターンでＬＴＥユーザ機器（ＵＥ）が動作する２つのモードを規定している−半持続スケジューリング（ＳＰＳ）および不連続受信（ＤＲＸ）。ＳＰＳ及びＤＲＸは上記の３ＧＰＰ  ＴＳ３６．３２１のセクション５で規定されている。両方のモード（それらは同じＬＴＥユーザ機器（ＵＥ）に対し別個にまたは一緒に適用される）において、ＬＴＥユーザ機器（ＵＥ）は活性ピリオドが非活性ピリオドで分離される１つのパターンで事前設定される。
【００９７】
パターンはＬＴＥユーザ機器（ＵＥ）とＬＴＥ基地局（ＢＳ）との間で同期され、ＬＴＥユーザ機器（ＵＥ）は事前にどのＬＴＥサブフレームにおいて非上方リンク又は下方リンクが起こるかを予測可能である。したがって、ＬＴＥユーザ機器（ＵＥ）は、活性ピリオドにおいて必要な場合目を覚ましてＢＳと通信可能であり、一方非活性ピリオド中はスリープモードのままである。例えば、パターンは２０ｍｓ毎に１ｍｓの活性ピリオド、１５ｍｓ毎に５ｍｓの活性ピリオド、又は他の適合するパターンを規定してもよい。
【００９８】
図１のシステム構成を考える。ある実施形態では、ＬＴＥユーザ機器（ＵＥ）として機能するＬＴＥ基底帯域（ＢＢ）プロセッサ４４は、半持続スケジューリング（ＳＰＳ）および／又は不連続受信（ＤＲＸ）モードで動作するようにＬＴＥ基地局（ＢＳ）２８により設定される。この設定の一部として、ＬＴＥ基地局（ＢＳ）はＬＴＥ基底帯域（ＢＢ）プロセッサ４４を所望の活性及び非活性ピリオドのパターンで設定する。ＬＴＥ基底帯域（ＢＢ）プロセッサ４４は、そのパターンを、恐らく追加情報と共に、Ｗｉ−Ｆｉ基底帯域（ＢＢ）プロセッサ４８（ＷＬＡＮ局（ＳＴＡ）又はアクセスポイント（ＡＰ）として機能する）に共存インタフェース上で提供する。Ｗｉ−Ｆｉ基底帯域（ＢＢ）プロセッサ４８はその情報をＷｉ−Ｆｉ動作の設定に使用し、相互の干渉を低減させる。
【００９９】
種々の実施形態において、Ｗｉ−Ｆｉ  ＢＢプロセッサ４８は自身のＷｉ−Ｆｉ送信および／または対向するＷｉ−Ｆｉエンドポイント（局（ＳＴＡ）又はアクセスポイント（ＡＰ）３２）の送信を設定してもよい。局（ＳＴＡ）又はアクセスポイント（ＡＰ）の設定はＷｉ−Ｆｉ送信及び／又は受信器機能性の設定を含んでよい。この設定はＷｉ−Ｆｉ  ＢＢプロセッサ４８のＷｉ−Ｆｉ送信からのＬＴＥ  ＢＢプロセッサ４４のＬＴＥ受信及び／またはＬＴＥ  ＢＢプロセッサ４４のＬＴＥ送信からのＷｉ−Ｆｉ  ＢＢプロセッサ４８のＷｉ−Ｆｉ受信、に対する干渉の低減に使用可能である。この動作を促進するため、通常ＬＴＥ  ＢＢプロセッサ４４はＬＴＥフレームタイミングを共存インタフェース経由でＬＴＥ  ＢＢプロセッサ４４に提供する。Ｗｉ−Ｆｉ  ＢＢプロセッサ４８はその内部時間ベースをＬＴＥ  ＢＢプロセッサ４４により提供されたＬＴＥフレームタイミングに同期させる。
【０１００】
通常ＬＴＥ  ＢＢプロセッサ４４は、Ｗｉ−Ｆｉ  ＢＢプロセッサ４８にＷｉ−Ｆｉ動作を設定する十分な時間を与えるため、パターンおよび関連情報をＷｉ−Ｆｉ  ＢＢプロセッサ４８に事前に提供する。提供された情報は、例えば、どのサブフレームが活性と定義され、どのサブフレームが非活性と定義されるか、どの活性サブフレームがＬＴＥユーザ機器（ＵＥ）送信（上方リンク）に使用され、どの活性サブフレームがＬＴＥユーザ機器（ＵＥ）受信（下方リンク）に使用されるか、送信および受信の信号パワーレベル、送信または受信される信号のタイプ、及び／または任意の他の適合する情報を含む。
【０１０１】
例としての実施形態では、Ｗｉ−Ｆｉ  ＢＢプロセッサ４８がＷｉ−Ｆｉ送信のタイミングをＬＴＥ活性および非活性ピリオドのパターンに基づいて設定する。タイミングは、Ｗｉ−Ｆｉ  ＢＢプロセッサ４８の送信に対してはローカルに、又は対向する局（ＳＴＡ）又はアクセスポイント（ＡＰ）３２の送信に対して遠隔に、のいずれか又は両方が設定される（例えば、自身への送信可（ＣＴＳ−ｔｏ−ｓｅｌｆ）プロセスを使用して）。
【０１０２】
ある実施形態では、Ｗｉ−Ｆｉ  ＢＢプロセッサ４８は活性ＬＴＥピリオド中全てのＷｉ−Ｆｉ送信を差し止めてもよい。他の実施形態では、Ｗｉ−Ｆｉ  ＢＢプロセッサ４８はより細かな粒度でＷｉ−Ｆｉ送信を差し止めてもよい、例えば、ＬＴＥ  ＢＢプロセッサ４４の受信に使用される活性ピリオド中は、通信装置２４からのＷｉ−Ｆｉ送信のみを差し止めてもよい。
【０１０３】
ある実施形態では、ＬＴＥ  ＢＢプロセッサ４４は定期的に周囲の基地局（ＢＳ、ｅＮｏｄｅＢｓ）を監視する測定を実行するように要求される。これらの実施形態では、ＬＴＥユーザ機器（ＵＥ）は併置されるＷｉ−Ｆｉ  ＢＢプロセッサ４８に対し測定インターバルを知らせ、Ｗｉ−Ｆｉ  ＢＢプロセッサ４８は報告されたインターバル中、干渉を低減させる。
【０１０４】
ある実施形態では、活性／非活性ピリオドのパターンはＬＴＥ及び／またはＷｉ−Ｆｉチャネルの種々のシステムパラメータに従って適応され、それは例えば、現在の送信パワー、現在使用される変調および符号化スキーム（ＭＣＳ）、対向側の送信の受信パワー、送信されたトラフィック量、及び／または他の任意の適合するシステムパラメータである。
【０１０５】
図７は本発明のさらに他の実施形態に基づく、ＬＴＥ／Ｗｉ−Ｆｉ共存の方法を概略示すフローチャートである。方法は設定ステップ２１０において、ＬＴＥ基地局（ＢＳ）２８が通信装置２４のＬＴＥユーザ機器（ＵＥ）（ＢＢプロセッサ４４）を、活性及び非活性時間ピリオドのパターンでＳＰＳ及び／またはＲＤＸモードに従って設定するステップから始まる。
【０１０６】
Ｗｉ−Ｆｉ  ＢＢプロセッサ４８は、同期ステップ２１４において、その内部時間ベースをＬＴＥ  ＢＢプロセッサ４４のＬＴＥフレームタイミングに同期させる。ＬＴＥ  ＢＢプロセッサ４４は、パターン告知ステップ２１８において、活性及び非活性時間ピリオドのパターンをＷｉ−Ｆｉ  ＢＢプロセッサ４８に提供する。Ｗｉ−Ｆｉ  ＢＢプロセッサ４８は、Ｗｉ−Ｆｉ適応ステップ２２２において、Ｗｉ−Ｆｉ動作（自身のローカルな動作及び／または対向するＷｉ−Ｆｉ局（ＳＴＡ）又はアクセスポイント（ＡＰ）の動作）をそのパターンに基づいて適応させる。適応はＬＴＥとＷｉ−Ｆｉ接続の間の干渉を減少又は根絶しようと試みる。
【０１０７】
図１と図５の通信装置２４と１３４の構成は例示としての構成であり、純粋に概念の明確化のためにのみ選択された。他の実施形態では、他の任意の適合する構成が使用可能である。例えば、ＬＴＥとＷｉ−Ｆｉ通信は別のアンテナを介して実施可能である。他の１つの例として、基底帯域（ＢＢ）プロセッサ４４と４８、または基底帯域（ＢＢ）プロセッサ１５０と１５４の機能は、単一の基底帯域（ＢＢ）プロセッサにより実行可能である。現在の文脈では、図１の基底帯域（ＢＢ）プロセッサ４４と４８、及び図５の基底帯域（ＢＢ）プロセッサ１５０と１５４は、開示された技術を実行する基底帯域回路と集合的に呼ばれる。通信装置２４と１３４の一定の要素は、１つ以上のＡＳＩＣ又はＦＰＧＡなどのハードウェアを使用して実行可能である。あるいは通信装置２４又は１３４の幾つかの要素はソフトウェアで、またはハードウェアとソフトウェアの組合せを使用して実行可能である。
【０１０８】
ある実施形態では、通信装置２４又は１３４の機能はここに記載された機能を実行するためのソフトウェアでプログラムされた汎用コンピュータを使用して実行可能である。ソフトウェアは例えばコンピュータに電子形態で、ネットワーク上で、ダウンロードされてもよく、または、さらにあるいは、磁気、光学、又は電子メモリーなどの非一過性接触可能媒体上に提供及び／または記憶されてもよい。
【０１０９】
上記の実施形態は事例として引用され、そして本発明は特にここに示されそして記載されたものに限定されない。むしろ本発明の範囲は上記の種々の特徴の組合せ及びサブ組合せを含み、上記記述を読んだ当業者が想起する従来技術にない変形および変更を含む。本出願に参照として採り入れられたドキュメントは本出願の統合的部分と考えるべきである。ただし、採り入れられたドキュメントにおいて定義された任意の用語が明示的または暗示的に本発明の明細書の定義と異なる場合は、本発明の明細書の定義が優先する。
【図１】
0005931917.tif 000004
【図２】
0005931917.tif 000005
【図３】
0005931917.tif 000006
【図４】
0005931917.tif 000007
【図５】
0005931917.tif 000008
【図６】
0005931917.tif 000009
【図７】
0005931917.tif 000010